(57)【要約】ＯＳ（１３）で扱いうるモノクロ画像の階調数（例えば２５６）より多い階調数のモノクロ画像（例えば１，０２４）をカラー画像に変換してＯＳ（１３）に渡す。ＯＳ（１３）は、扱いうる色数（例えば色数１６，７７７，２１６）内のカラー画像であるから、そのまま出力しうる。次に、ＯＳ（１３）から渡されたカラー画像を、ＯＳ（１３）で扱いうるモノクロ画像の階調数（例えば２５６）より多い階調数（例えば１０２１または１０２４）のモノクロ画像に再変換して表示する。これにより、ハードウェアやソフトウェアに大きな変更を加えることなく、従来のＯＳの制限を超える多階調モノクロ画像を表示することが出来る。
2004093007.tif 000002
【特許請求の範囲】
【請求項１】
カラー画像の色数がモノクロ画像の階調数より多いオペレーティングシステム（１３）に、オペレーティングシステム（１３）で扱いうるモノクロ画像の階調数より多い階調数のモノクロ画像をカラー画像に変換して入力し、オペレーティングシステム（１３）から出力されたカラー画像をオペレーティングシステム（１３）で扱いうるモノクロ画像の階調数より多い階調数のモノクロ画像に再変換して表示することを特徴とする多階調モノクロ画像表示方法。
【請求項２】
請求の範囲第１項に記載の多階調モノクロ画像表示方法において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とする多階調モノクロ画像表示方法。
【請求項３】
請求の範囲第１項に記載の多階調モノクロ画像表示方法において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とする多階調モノクロ画像表示方法。
【請求項４】
コンピュータ（１０Ａ）とモノクロディスプレイ装置（２０Ａ）とを具備し、
前記コンピュータ（１０Ａ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）に入力するモノクロ／カラー変換手段（１２）と、前記オペレーティングシステム（１３）から出力されたカラー画像のデジタルデータを出力しうるビデオカード（１４）とを備え、
前記モノクロディスプレイ装置（２０Ａ）は、前記ビデオカード（１４）から出力されたカラー画像を前記オペレーティングシステム（１３）で扱いうるモノクロ画像の階調数より多い階調数のモノクロ画像に再変換するカラー／モノクロ変換手段（２２）と、前記再変換された多階調モノクロ画像を表示しうる多階調モノクロ画像表示手段（２３）とを備える
ことを特徴とする多階調モノクロ画像表示装置（１００Ａ）。
【請求項５】
コンピュータ（１０Ａ）と再変換アダプタ（４０）とモノクロディスプレイ装置（２０）とを具備し、
前記コンピュータ（１０Ａ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）に入力するモノクロ／カラー変換手段（１２）と、前記オペレーティングシステム（１３）から出力されたカラー画像のデジタルデータを出力しうるビデオカード（１４）とを備え、
前記再変換アダプタ（４０）は、前記ビデオカード（１４）から出力されたカラー画像を前記オペレーティングシステム（１３）で扱いうるモノクロ画像の階調数より多い階調数のモノクロ画像に再変換するカラー／モノクロ変換手段（４２）を備え、
前記モノクロディスプレイ装置（２０）は、前記再変換アダプタ（４０）から入力された多階調モノクロ画像を表示しうる多階調モノクロ画像表示手段（２３）を備える
ことを特徴とする多階調モノクロ画像表示装置（１００Ｂ）。
【請求項６】
コンピュータ（１０Ｃ）とモノクロディスプレイ装置（２０）とを具備し、
前記コンピュータ（１０Ｃ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）に入力するモノクロ／カラー変換手段（１２）と、前記オペレーティングシステム（１３）から出力されたカラー画像を前記オペレーティングシステム（１３）で扱いうるモノクロ画像の階調数より多い階調数のモノクロ画像に再変換するカラー／モノクロ変換手段（１６）を含むと共に前記再変換された多階調モノクロ画像のデジタルデータを出力しうるビデオカード（１４Ｃ）とを備え、
前記モノクロディスプレイ装置（２０）は、前記ビデオカード（１４Ｃ）から出力された多階調モノクロ画像を表示しうる多階調モノクロ画像表示手段（２３）を備える
ことを特徴とする多階調モノクロ画像表示装置（１００Ｃ）。
【請求項７】
請求の範囲第４項から第６項のいずれかに記載の多階調モノクロ画像表示装置において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とする多階調モノクロ画像表示装置。
【請求項８】
請求の範囲第４項から第６項のいずれかに記載の多階調モノクロ画像表示装置において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とする多階調モノクロ画像表示装置。
【請求項９】
請求の範囲第４項から第８項のいずれかに記載の多階調モノクロ画像表示装置において、前記モノクロ／カラー変換手段（１２）は、テーブル（１，１’，１”）または演算式を用いて前記多階調モノクロ画像の階調値［ｘ］を前記カラー画像のＲＧＢ値（ｒ，ｇ，ｂ）に変換することを特徴とする多階調モノクロ画像表示装置。
【請求項１０】
請求の範囲第４項から第９項のいずれかに記載の多階調モノクロ画像表示装置において、前記モノクロ／カラー変換手段（１２）が、前記モノクロ画像出力手段（１１）に含まれることを特徴とする多階調モノクロ画像表示装置。
【請求項１１】
カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）に入力するモノクロ／カラー変換手段（１２）と、前記オペレーティングシステム（１３）から出力されたカラー画像を前記オペレーティングシステム（１３）で扱いうるモノクロ画像の階調数より多い階調数のモノクロ画像に再変換するカラー／モノクロ変換手段（１６）を含むと共に前記再変換された多階調モノクロ画像のデジタルデータを出力しうるビデオカード（１４Ｃ）とを備えたことを特徴とするコンピュータ（１０Ｃ）。
【請求項１２】
請求の範囲第１１項に記載のコンピュータ（１０Ｃ）において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とするコンピュータ（１０Ｃ）。
【請求項１３】
請求の範囲第１１項に記載のコンピュータ（１０Ｃ）において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とするコンピュータ（１０Ｃ）。
【請求項１４】
請求の範囲第１１項から第１３項のいずれかに記載のコンピュータ（１０Ｃ）において、前記モノクロ／カラー変換手段（１２）は、テーブル（１，１’，１”）または演算式を用いて前記多階調モノクロ画像の階調値［ｘ］を前記カラー画像のＲＧＢ値（ｒ，ｇ，ｂ）に変換することを特徴とするコンピュータ（１０Ｃ）。
【請求項１５】
請求の範囲第１１項から第１４項のいずれかに記載のコンピュータ（１０Ｃ）において、前記モノクロ／カラー変換手段（１２）が、前記モノクロ画像出力手段（１１）に含まれることを特徴とするコンピュータ（１０Ｃ）。
【請求項１６】
入力されたカラー画像を多階調モノクロ画像に変換するカラー／モノクロ変換手段（２２）と、前記変換された多階調数モノクロ画像を表示しうる多階調モノクロ画像表示手段（２３）とを備え、
前記カラー／モノクロ変換手段（２２）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とするモノクロディスプレイ装置（２０Ａ）。
【請求項１７】
入力されたカラー画像を多階調モノクロ画像に変換するカラー／モノクロ変換手段（２２）と、前記変換された多階調数モノクロ画像を表示しうる多階調モノクロ画像表示手段（２３）とを備え、
前記カラー／モノクロ変換手段（２２）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とするモノクロディスプレイ装置（２０Ａ）。
【請求項１８】
請求の範囲第１６項または第１７項に記載のモノクロディスプレイ装置（２０Ａ）において、前記カラー／モノクロ変換手段（２２）は、テーブル（１’，１”）または演算式を用いて前記カラー画像のＲＧＢ値（ｒ，ｇ，ｂ）を前記多階調モノクロ画像の階調値［ｘ］に変換することを特徴とするモノクロディスプレイ装置（２０Ａ）。
【請求項１９】
入力されたカラー画像を多階調モノクロ画像に変換し出力するカラー／モノクロ変換手段（４２）を備え、
前記カラー／モノクロ変換手段（４２）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とする再変換アダプタ（４０）。
【請求項２０】
入力されたカラー画像を多階調モノクロ画像に変換し出力するカラー／モノクロ変換手段（４２）を備え、
前記カラー／モノクロ変換手段（４２）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とする再変換アダプタ（４０）。
【請求項２１】
請求の範囲第１９項または第２０項に記載の再変換アダプタ（４０）において、前記カラー／モノクロ変換手段（４２）は、テーブル（１’，１”）または演算式を用いて前記カラー画像のＲＧＢ値（ｒ，ｇ，ｂ）を前記多階調モノクロ画像の階調値［ｘ］に変換することを特徴とする再変換アダプタ（４０）。
【請求項２２】
オペレーティングシステム（１３）から出力されたカラー画像をオペレーティングシステム（１３）で扱いうるモノクロ画像の階調数より多い階調数のモノクロ画像に変換するカラー／モノクロ変換手段（１６）を含むと共に前記変換された多階調モノクロ画像のデジタルデータを出力しうることを特徴とするビデオカード（１４Ｃ）。
【請求項２３】
請求の範囲第２２項に記載のビデオカード（１４Ｃ）において、前記カラー／モノクロ変換手段（１６）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とするビデオカード（１４Ｃ）。
【請求項２４】
請求の範囲第２２項に記載のビデオカード（１４Ｃ）において、前記カラー／モノクロ変換手段（１６）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とするビデオカード（１４Ｃ）。
【請求項２５】
請求の範囲第２２項から第２４項のいずれかに記載のビデオカード（１４Ｃ）において、前記カラー／モノクロ変換手段（１６）は、テーブル（１，１’，１”）または演算式を用いて前記カラー画像のＲＧＢ値（ｒ，ｇ，ｂ）を前記多階調モノクロ画像の階調値［ｘ］に変換することを特徴とするビデオカード（１４Ｃ）。
【発明の詳細な説明】
【技術分野】  本発明は、多階調モノクロ画像表示方法、多階調モノクロ画像表示装置、コンピュータ、モノクロディスプレイ装置、再変換アダプタおよびビデオカードに関する。更に詳しくは、ハードウエアやソフトウエアに大きな変更を加えることなく、ＯＳ（Ｏｐｅｒａｔｉｎｇ  Ｓｙｓｔｅｍ）の制限を超える多階調モノクロ画像を表示することが出来る多階調モノクロ画像表示方法、多階調モノクロ画像表示装置、コンピュータ、モノクロディスプレイ装置、再変換アダプタおよびビデオカードに関する。
【背景技術】  従来のＯＳの一例であるウィンドウズＸＰの場合、カラー画像に対しては、Ｒ，Ｇ，Ｂの各輝度が独立に８ビット階調になっている。これにより、３×８＝２４ビットで色を表すことが出来る。ところが、モノクロ画像に対しては、Ｒ，Ｇ，Ｂの各輝度が同一値にされる仕様になっているため、８ビット階調に制限されてしまう。
一方、医療用モノクロ画像では、診断精度を上げるために１０ビット階調や１２ビット階調のモノクロ画像を扱えることが好ましく、そのような多階調のモノクロ画像を扱いうる能力を持ったアプリケーション・ソフトウエアも知られている。
さて、例えばモノクロ階調数が８ビットに制限されたＯＳに１０ビット階調のモノクロ画像を渡してディスプレイ装置に表示する場合、従来は、モノクロ画像の上位８ビットまでを有効とし、それ以下を切り捨てていた。
しかし、これでは、多階調モノクロ画像が本来持っていた下位の細かな（重み付けの小さい）階調が無駄になってしまう。
他方、モノクロディスプレイ装置では、一般的なものでも、例えば１０ビット階調のモノクロ画像を表示しうる能力を持っている。
しかしながら、上述のように、従来のＯＳの制限からモノクロ画像の上位８ビットまでを有効とし、それ以下を切り捨てているため、１０ビット階調のモノクロ画像を表示しうるモノクロディスプレイ装置でも、結局、８ビット階調のモノクロ画像を表示していることになる。
なお、入力された８ビット階調をモノクロディスプレイ装置内で１０ビット階調に拡張することがあるが、これはガンマ補正を行うためであり、表示されるモノクロ画像の階調数が１０ビットに拡張される訳ではない。
一方、従来のＯＳやビデオカードを介さず、専用のソフトウエアや専用のハードウエアからモノクロディスプレイ装置に例えば１０ビット階調のモノクロ画像を渡すようにすれば、１０ビット階調を生かしてモノクロ画像を表示することが出来る。
しかし、専用のソフトウエアや専用のハードウエアを用意することは大きなコスト増を招いてしまう。
そこで、本発明の目的は、ハードウエアやソフトウエアに大きな変更を加えることなく、従来のＯＳの制限を超える多階調モノクロ画像を表示することが出来る多階調モノクロ画像表示方法、多階調モノクロ画像表示装置、コンピュータ、モノクロディスプレイ装置、再変換アダプタおよびビデオカードを提供することにある。
なお、特開２００１−３４２３２号公報において、輝度階調数が少ないカラー画像表示デバイス（例えばＲ，Ｇ，Ｂ共に２５６階調）を用いて多階調（例えば１０２４階調）のモノクロ画像を表示する方法が提案されている。
これに対して、本発明は、多階調モノクロ画像を表示可能なモノクロ画像表示デバイス（例えば１０２４階調）を用いて多階調モノクロ画像（例えば１０２４階調）を表示したいのだが、コンピュータのＯＳ上の制限のためにモノクロ画像表示デバイスを活かすことが出来ない、という課題を解決するものであり、特開２００１−３４２３２号公報の発明とは課題、構成、効果が全く異なっている。
【発明の開示】
第１の観点では、本発明は、カラー画像の色数がモノクロ画像の階調数より多いオペレーティングシステム（１３）に、オペレーティングシステム（１３）で扱いうるモノクロ画像の階調数より多い階調数のモノクロ画像をカラー画像に変換して渡し、オペレーティングシステム（１３）から出力されたカラー画像をオペレーティングシステム（１３）で扱いうるモノクロ画像の階調数より多い階調数のモノクロ画像に再変換して表示することを特徴とする多階調モノクロ画像表示方法を提供する。
上記第１の観点による多階調モノクロ画像表示方法では、ＯＳ（１３）で扱いうるモノクロ画像の階調数（例えば２５６）より多い階調数のモノクロ画像（例えば１，０２４）をカラー画像に変換してＯＳ（１３）に渡す。ＯＳ（１３）は、扱いうる色数（例えば色数１６，７７７，２１６）内のカラー画像であるから、そのまま出力しうる。次に、ＯＳ（１３）から渡されたカラー画像を、ＯＳ（１３）で扱いうるモノクロ画像の階調数（例えば２５６）より多い階調数（例えば１０２１または１０２４）のモノクロ画像に再変換して表示する。これにより、ハードウエアやソフトウエアに大きな変更を加えることなく、従来のＯＳの制限を超える多階調モノクロ画像を表示することが出来る。
第２の観点では、本発明は、上記構成の多階調モノクロ画像表示方法において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とする多階調モノクロ画像表示方法を提供する。
上記第２の観点による多階調モノクロ画像表示方法では、モノクロ画像の階調値［ｘ］とカラー画像のＲＧＢ値（ｒ，ｇ，ｂ）とが、カラー信号をモノクロ信号に変換するＮＴＳＣ系加重平均法に準拠しているため、通常のアプリケーション・ソフトがＯＳを介して出力するカラー画像やＯＳ自身が出力するカラー画像をモノクロディスプレイ装置で自然なモノクロ画像（１０２４階調）として見ることが出来る。
第３の観点では、本発明は、上記構成の多階調モノクロ画像表示方法において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とする多階調モノクロ画像表示方法を提供する。
上記第３の観点による多階調モノクロ画像表示方法では、モノクロ画像の階調値［ｘ］とカラー画像のＲＧＢ値（ｒ，ｇ，ｂ）とが、カラー信号をモノクロ信号に変換するＮＴＳＣ系加重平均法に準拠しているため、通常のアプリケーション・ソフトがＯＳを介して出力するカラー画像やＯＳ自身が出力するカラー画像をモノクロディスプレイ装置で自然なモノクロ画像（２０４８階調）として見ることが出来る。
第４の観点では、本発明は、コンピュータ（１０Ａ）とモノクロディスプレイ装置（２０Ａ）とを具備し、前記コンピュータ（１０Ａ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）へ出力するモノクロ／カラー変換手段（１２）と、前記オペレーティングシステム（１３）から出力されたカラー画像のデジタルデータを出力しうるビデオカード（１４）とを備え、前記モノクロディスプレイ装置（２０Ａ）は、前記ビデオカード（１４）から入力されたカラー画像を前記オペレーティングシステム（１３）で扱いうるモノクロ画像の階調数より多い階調数のモノクロ画像に再変換するカラー／モノクロ変換手段（２２）と、前記再変換された多階調モノクロ画像を表示しうる多階調モノクロ画像表示手段（２３）とを備えることを特徴とする多階調モノクロ画像表示装置（１００Ａ）を提供する。
上記第４の観点による多階調モノクロ画像表示装置（１００Ａ）では、前記第１の観点による多階調モノクロ画像表示方法を好適に実施しうる。そして、通常のビデオカードをそのまま使用しうる。
第５の観点では、本発明は、コンピュータ（１０Ａ）と再変換アダプタ（４０）とモノクロディスプレイ装置（２０）とを具備し、前記コンピュータ（１０Ａ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）へ出力するモノクロ／カラー変換手段（１２）と、前記オペレーティングシステム（１３）から出力されたカラー画像のデジタルデータを出力しうるビデオカード（１４）とを備え、前記再変換アダプタ（４０）は、前記ビデオカード（１４）から入力されたカラー画像を前記オペレーティングシステム（１３）で扱いうるモノクロ画像の階調数より多い階調数のモノクロ画像に再変換するカラー／モノクロ変換手段（４２）を備え、前記モノクロディスプレイ装置（２０）は、前記再変換アダプタ（４０）から入力された多階調モノクロ画像を表示しうる多階調モノクロ画像表示手段（２３）を備えることを特徴とする多階調モノクロ画像表示装置（１００Ｂ）を提供する。
上記第５の観点による多階調モノクロ画像表示装置（１００Ｂ）では、前記第１の観点による多階調モノクロ画像表示方法を好適に実施しうる。そして、通常のビデオカードやモノクロディスプレイ装置をそのまま使用しうる。
第６の観点では、本発明は、コンピュータ（１０Ｃ）とモノクロディスプレイ装置（２０）とを具備し、前記コンピュータ（１０Ｃ）は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）へ出力するモノクロ／カラー変換手段（１２）と、前記オペレーティングシステム（１３）から出力されたカラー画像を前記オペレーティングシステム（１３）で扱いうるモノクロ画像の階調数より多い階調数のモノクロ画像に再変換するカラー／モノクロ変換手段（１６）を含むと共に前記再変換された多階調モノクロ画像のデジタルデータを出力しうるビデオカード（１４Ｃ）とを備え、前記モノクロディスプレイ装置（２０）は、前記ビデオカード（１４Ｃ）から入力された多階調モノクロ画像を表示しうる多階調モノクロ画像表示手段（２３）を備えることを特徴とする多階調モノクロ画像表示装置（１００Ｃ）を提供する。
上記第６の観点による多階調モノクロ画像表示装置（１００Ｃ）では、前記第１の観点による多階調モノクロ画像表示方法を好適に実施しうる。そして、通常のモノクロディスプレイ装置をそのまま使用しうる。
第７の観点では、本発明は、上記構成の多階調モノクロ画像表示装置において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とする多階調モノクロ画像表示装置を提供する。
上記第７の観点による多階調モノクロ画像表示装置では、前記第２の観点による多階調モノクロ画像表示方法を好適に実施しうる。
第８の観点では、本発明は、上記構成の多階調モノクロ画像表示装置において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とする多階調モノクロ画像表示装置を提供する。
上記第８の観点による多階調モノクロ画像表示装置では、前記第３の観点による多階調モノクロ画像表示方法を好適に実施しうる。
第９の観点では、本発明は、上記構成の多階調モノクロ画像表示装置において、前記モノクロ／カラー変換手段（１２）は、テーブル（１，１’，１”）または演算式を用いて前記多階調モノクロ画像の階調値［ｘ］を前記カラー画像のＲＧＢ値（ｒ，ｇ，ｂ）に変換することを特徴とする多階調モノクロ画像表示装置を提供する。
上記第９の観点による多階調モノクロ画像表示装置では、テーブル（１，１’，１”）を用いると高速処理が可能であり、演算式を用いると必要な記憶容量が少なくて済む。なお、前記モノクロ／カラー変換手段（１２）をソフトウエアで構成すれば実施が容易となり、ハードウエアで構成すれば高速処理が可能となる。
第１０の観点では、本発明は、上記構成の多階調モノクロ画像表示装置において、前記モノクロ／カラー変換手段（１２）が、前記モノクロ画像出力手段（１１）に含まれることを特徴とする多階調モノクロ画像表示装置を提供する。
上記第１０の観点による多階調モノクロ画像表示装置（１００Ａ，１００Ｂ，１００Ｃ）では、モノクロ画像出力手段（１１）にモノクロ／カラー変換手段（１２）を含ませるため、実施が容易である。なお、前記モノクロ画像出力手段（１１）をソフトウエアで構成すれば実施が容易となり、ハードウエアで構成すれば高速処理が可能となる。
第１１の観点では、本発明は、カラー画像の色数がモノクロ画像の階調数より多いオペレーティングシステム（１３）と、前記オペレーティングシステム（１３）で扱いうるモノクロ画像の階調数より多い階調数のモノクロ画像を出力しうるモノクロ画像出力手段（１１）と、前記モノクロ画像出力手段（１１）が出力する多階調モノクロ画像をカラー画像に変換して前記オペレーティングシステム（１３）へ出力するモノクロ／カラー変換手段（１２）と、前記オペレーティングシステム（１３）から出力されたカラー画像を前記オペレーティングシステム（１３）で扱いうるモノクロ画像の階調数より多い階調数のモノクロ画像に再変換するカラー／モノクロ変換手段（１６）を含むと共に前記再変換された多階調モノクロ画像のデジタルデータを出力しうるビデオカード（１４Ｃ）とを備えたことを特徴とするコンピュータ（１０Ｃ）を提供する。
上記第１１の観点によるコンピュータ（１０Ｃ）は、前記第１の観点による多階調モノクロ画像表示方法を実施するのに好適に使用しうる。
第１２の観点では、本発明は、上記構成のコンピュータ（１０Ｃ）において、モノクロ画像の階調値が［ｘ］＝０〜１０２３であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／４＋ｇ×９／４＋ｂ×２／４
であり、
［ｘ］＝２５６では、ｒ＝６３，ｇ＝６３，ｂ＝７０であり、
［ｘ］＝２５７〜５１２では、
ｘ＝ｒ×５／４＋ｇ×９／４＋ｂ×２／４＋１
であり、
［ｘ］＝５１３では、ｒ＝１２７，ｇ＝１２７，ｂ＝１３４であり、
［ｘ］＝５１４〜７６９では、
ｘ＝ｒ×５／４＋ｇ×９／４＋ｂ×２／４＋２
であり、
［ｘ］＝７７０では、ｒ＝１９１，ｇ＝１９１，ｂ＝１９８であり、
［ｘ］＝７７１〜１０２３では、
ｘ＝ｒ×５／４＋ｇ×９／４＋ｂ×２／４＋３
の対応があることを特徴とするコンピュータ（１０Ｃ）を提供する。
上記第１２の観点によるコンピュータ（１０Ｃ）は、前記第２の観点による多階調モノクロ画像表示方法を実施するのに好適に使用しうる。
第１３の観点では、本発明は、上記構成のコンピュータ（１０Ｃ）において、モノクロ画像の階調値が［ｘ］＝０〜２０４７であり、カラー画像のＲＧＢ値がｒ＝０〜２５５，ｇ＝０〜２５５，ｂ＝０〜２５５であるとき、
［ｘ］＝０〜２５５では、
ｘ＝ｒ×５／２＋ｇ×９／２＋ｂ×２／２
であり、
［ｘ］＝２５６では、ｒ＝３３，ｇ＝３２，ｂ＝２９であり、
［ｘ］＝２５７〜５１２では、
ｘ＝ｒ×５／２＋ｇ×９／２＋ｂ×２／２＋１
であり、
［ｘ］＝５１３では、ｒ＝６５，ｇ＝６４，ｂ＝６１であり、
［ｘ］＝５１４〜７６９では、
ｘ＝ｒ×５／２＋ｇ×９／２＋ｂ×２／２＋２
であり、
［ｘ］＝７７０では、ｒ＝９７，ｇ＝９６，ｂ＝９３であり、
［ｘ］＝７７１〜１０２６では、
ｘ＝ｒ×５／２＋ｇ×９／２＋ｂ×２／２＋３
であり、
［ｘ］＝１０２７では、ｒ＝１２９，ｇ＝１２８，ｂ＝１２５であり、
［ｘ］＝１０２８〜１２８３では、
ｘ＝ｒ×５／２＋ｇ×９／２＋ｂ×２／２＋４
であり、
［ｘ］＝１２８４では、ｒ＝１６１，ｇ＝１６０，ｂ＝１５７であり、
［ｘ］＝１２８５〜１５４０では、
ｘ＝ｒ×５／２＋ｇ×９／２＋ｂ×２／２＋５
であり、
［ｘ］＝１５４１では、ｒ＝１９３，ｇ＝１９２，ｂ＝１８９であり、
［ｘ］＝１５４２〜１７９７では、
ｘ＝ｒ×５／２＋ｇ×９／２＋ｂ×２／２＋６
であり、
［ｘ］＝１７９８では、ｒ＝２２４，ｇ＝２２３，ｂ＝２２８であり、
［ｘ］＝１７９９〜２０４７では、
ｘ＝ｒ×５／２＋ｇ×９／２＋ｂ×２／２＋７
の対応があることを特徴とするコンピュータ（１０Ｃ）を提供する。
上記第１３の観点によるコンピュータ（１０Ｃ）は、前記第３の観点による多階調モノクロ画像表示方法を実施するのに好適に使用しうる。
第１４の観点では、本発明は、上記構成のコンピュータ（１０Ｃ）において、前記モノクロ／カラー変換手段（１２）は、テーブル（１，１’，１”）または演算式を用いて前記多階調モノクロ画像の階調値［ｘ］を前記カラー画像のＲＧＢ値（ｒ，ｇ，ｂ）に変換することを特徴とするコンピュータ（１０Ｃ）を提供する。
上記第１４の観点によるコンピュータ（１０Ｃ）では、テーブル（１，１’，１”）を用いると高速処理が可能であり、演算式を用いると必要な記憶容量が少なくて済む。なお、前記モノクロ／カラー変換手段（１２）をソフトウエアで構成すれば実施が容易となり、ハードウエアで構成すれば高速処理が可能となる。
第１５の観点では、本発明は、上記構成のコンピュータ（１０Ｃ）において、前記モノクロ／カラー変換手段（１２）が、前記モノクロ画像出力手段（１１）に含まれることを特徴とするコンピュータ（１０Ｃ）を提供する。
上記第１５の観点によるコンピュータ（１０Ｃ）では、モノクロ画像出力手段（１１）にモノクロ／カラー変換手段（１２）を含ませるため、実施が容易である。
第１６の観点では、本発明は、入力されたカラー画像を多階調モノクロ画像に変換するカラー／モノクロ変換手段（２２）と、前記変換された多階調数モノクロ画像を表示しうる多階調モノクロ画像表示手段（２３）とを備え、前記カラー／モノクロ変換手段（２２）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とするモノクロディスプレイ装置（２０Ａ）を提供する。
上記第１６の観点によるモノクロディスプレイ装置（２０Ａ）は、前記第２の観点による多階調モノクロ画像表示方法を実施するのに好適に使用しうる。
第１７の観点では、本発明は、入力されたカラー画像を多階調モノクロ画像に変換するカラー／モノクロ変換手段（２２）と、前記変換された多階調数モノクロ画像を表示しうる多階調モノクロ画像表示手段（２３）とを備え、前記カラー／モノクロ変換手段（２２）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とするモノクロディスプレイ装置（２０Ａ）を提供する。
上記第１７の観点によるモノクロディスプレイ装置（２０Ａ）は、前記第３の観点による多階調モノクロ画像表示方法を実施するのに好適に使用しうる。
第１８の観点では、本発明は、上記構成のモノクロディスプレイ装置（２０Ａ）において、前記カラー／モノクロ変換手段（２２）は、テーブル（１’，１”）または演算式を用いて前記カラー画像のＲＧＢ値（ｒ，ｇ，ｂ）を前記多階調モノクロ画像の階調値［ｘ］に変換することを特徴とするモノクロディスプレイ装置（２０Ａ）を提供する。
上記第１８の観点によるモノクロディスプレイ装置（２０Ａ）では、テーブル（１’，１”）を用いると高速処理が可能であり、演算式を用いると必要な記憶容量が少なくて済む。なお、前記カラー／モノクロ変換手段（２２）をソフトウエアで構成すれば実施が容易となり、ハードウエアで構成すれば高速処理が可能となる。
第１９の観点では、本発明は、入力されたカラー画像を多階調モノクロ画像に変換し出力するカラー／モノクロ変換手段（４２）を備え、前記カラー／モノクロ変換手段（４２）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とする再変換アダプタ（４０）を提供する。
上記第１９の観点による再変換アダプタ（４０）は、前記第２の観点による多階調モノクロ画像表示方法を実施するのに好適に使用しうる。そして、通常のビデオカードやモノクロディスプレイ装置をそのまま使用しうる。
第２０の観点では、本発明は、入力されたカラー画像を多階調モノクロ画像に変換し出力するカラー／モノクロ変換手段（４２）を備え、前記カラー／モノクロ変換手段（４２）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とする再変換アダプタ（４０）を提供する。
上記第２０の観点による再変換アダプタ（４０）は、前記第３の観点による多階調モノクロ画像表示方法を実施するのに好適に使用しうる。そして、通常のビデオカードやモノクロディスプレイ装置をそのまま使用しうる。
第２１の観点では、本発明は、上記構成の再変換アダプタ（４０）において、前記カラー／モノクロ変換手段（４２）は、テーブル（１’，１”）または演算式を用いて前記カラー画像のＲＧＢ値（ｒ，ｇ，ｂ）を前記多階調モノクロ画像の階調値［ｘ］に変換することを特徴とする再変換アダプタ（４０）を提供する。
上記第２１の観点による再変換アダプタ（４０）では、テーブル（１’，１”）を用いると高速処理が可能であり、演算式を用いると必要な記憶容量が少なくて済む。なお、前記カラー／モノクロ変換手段（４２）をソフトウエアで構成すれば実施が容易となり、ハードウエアで構成すれば高速処理が可能となる。
第２２の観点では、本発明は、オペレーティングシステム（１３）から出力されたカラー画像をオペレーティングシステム（１３）で扱いうるモノクロ画像の階調数より多い階調数のモノクロ画像に変換するカラー／モノクロ変換手段（１６）を含むと共に前記変換された多階調モノクロ画像のデジタルデータを出力しうることを特徴とするビデオカード（１４Ｃ）を提供する。
上記第２２の観点によるビデオカード（１４Ｃ）は、前記第１の観点による多階調モノクロ画像表示方法を実施するのに好適に使用しうる。そして、通常のモノクロディスプレイ装置をそのまま使用しうる。
第２３の観点では、本発明は、上記構成のビデオカード（１４Ｃ）において、前記カラー／モノクロ変換手段（１６）は、カラー画像のＲＧＢ値がｒ＝０〜２５５，ｇ＝０〜２５５，ｂ＝０〜２５５であり、モノクロ画像の階調値が［ｘ］＝０〜１０２３であるとき、
０≦ｒ×５／４＋ｇ×９／４＋ｂ×２／４≦２５５では、
［ｘ］＝ｒ×５／４＋ｇ×９／４＋ｂ×２／４
とし、
ｒ＝６３，ｇ＝６３，ｂ＝７０では、［ｘ］＝２５６とし、
２５７≦ｒ×５／４＋ｇ×９／４＋ｂ×２／４＋１≦５１２では、
［ｘ］＝ｒ×５／４＋ｇ×９／４＋ｂ×２／４＋１
とし、
ｒ＝１２７，ｇ＝１２７，ｂ＝１３４では、［ｘ］＝５１３とし、
５１４≦ｒ×５／４＋ｇ×９／４＋ｂ×２／４＋２≦７６９では、
［ｘ］＝ｒ×５／４＋ｇ×９／４＋ｂ×２／４＋２
とし、
ｒ＝１９１，ｇ＝１９１，ｂ＝１９８では、［ｘ］＝７７０とし、
７７１≦ｒ×５／４＋ｇ×９／４＋ｂ×２／４＋３≦１０２３では、
［ｘ］＝ｒ×５／４＋ｇ×９／４＋ｂ×２／４＋３
とすることを特徴とするビデオカード（１４Ｃ）を提供する。
上記第２３の観点によるビデオカード（１４Ｃ）は、前記第２の観点による多階調モノクロ画像表示方法を実施するのに好適に使用しうる。そして、通常のモノクロディスプレイ装置をそのまま使用しうる。
第２４の観点では、本発明は、上記構成のビデオカード（１４Ｃ）において、前記カラー／モノクロ変換手段（１６）は、カラー画像のＲＧＢ値がｒ＝０〜２５５，ｇ＝０〜２５５，ｂ＝０〜２５５であり、モノクロ画像の階調値が［ｘ］＝０〜２０４７であるとき、
０≦ｒ×５／２＋ｇ×９／２＋ｂ×２／２≦２５５では、
ｘ＝ｒ×５／２＋ｇ×９／２＋ｂ×２／２
とし、
ｒ＝３３，ｇ＝３２，ｂ＝２９では、［ｘ］＝２５６とし、
２５７≦ｒ×５／２＋ｇ×９／２＋ｂ×２／２＋１≦５１２では、
ｘ＝ｒ×５／２＋ｇ×９／２＋ｂ×２／２＋１
とし、
ｒ＝６５，ｇ＝６４，ｂ＝６１では、［ｘ］＝５１３とし、
５１４≦ｒ×５／２＋ｇ×９／２＋ｂ×２／２＋２≦７６９では、
ｘ＝ｒ×５／２＋ｇ×９／２＋ｂ×２／２＋２
とし、
ｒ＝９７，ｇ＝９６，ｂ＝９３では、［ｘ］＝７７０とし、
７７１≦ｒ×５／２＋ｇ×９／２＋ｂ×２／２＋３≦１０２６では、
ｘ＝ｒ×５／２＋ｇ×９／２＋ｂ×２／２＋３
とし、
ｒ＝１２９，ｇ＝１２８，ｂ＝１２５では、［ｘ］＝１０２７とし、
１０２８≦ｒ×５／２＋ｇ×９／２＋ｂ×２／２＋４≦１２８３では、
ｘ＝ｒ×５／２＋ｇ×９／２＋ｂ×２／２＋４
とし、
ｒ＝１６１，ｇ＝１６０，ｂ＝１５７では、［ｘ］＝１２８４とし、
１２８５≦ｒ×５／２＋ｇ×９／２＋ｂ×２／２＋５≦１５４０では、
ｘ＝ｒ×５／２＋ｇ×９／２＋ｂ×２／２＋５
とし、
ｒ＝１９３，ｇ＝１９２，ｂ＝１８９では、［ｘ］＝１５４１とし、
１５４２≦ｒ×５／２＋ｇ×９／２＋ｂ×２／２＋６≦１７９７では、
ｘ＝ｒ×５／２＋ｇ×９／２＋ｂ×２／２＋６
とし、
ｒ＝２２４，ｇ＝２２３，ｂ＝２２８では、［ｘ］＝１７９８とし、
１７９９≦ｒ×５／２＋ｇ×９／２＋ｂ×２／２＋７≦２０４７では、
ｘ＝ｒ×５／２＋ｇ×９／２＋ｂ×２／２＋７
とすることを特徴とするビデオカード（１４Ｃ）を提供する。
上記第２４の観点によるビデオカード（１４Ｃ）は、前記第３の観点による多階調モノクロ画像表示方法を実施するのに好適に使用しうる。そして、通常のモノクロディスプレイ装置をそのまま使用しうる。
第２５の観点では、本発明は、上記構成のビデオカード（１４Ｃ）において、前記カラー／モノクロ変換手段（１６）は、テーブル（１，１’，１”）または演算式を用いて前記カラー画像のＲＧＢ値（ｒ，ｇ，ｂ）を前記多階調モノクロ画像の階調値［ｘ］に変換するソフトウエアまたはハードウエアであることを特徴とするビデオカード（１４Ｃ）を提供する。
上記第２５の観点によるビデオカード（１４Ｃ）では、テーブル（１，１’，１”）を用いると高速処理が可能であり、演算式を用いると必要な記憶容量が少なくて済む。なお、前記カラー／モノクロ変換手段（１６）をソフトウエアで構成すれば実施が容易となり、ハードウエアで構成すれば高速処理が可能となる。
【図面の簡単な説明】  第１図は、第１の実施形態に係る多階調モノクロ画像表示装置（１００Ａ）を示す構成ブロック図である。
第２図は、第１の実施形態に係るモノクロ／カラー変換テーブル（１）を示す例示図である。
第３図は、アプリケーション・ウィンドウをデスクトップ画面の一部領域に開いている状態を示す例示図である。
第４図は、第２の実施形態に係るモノクロ／カラー変換テーブル（１’）を示す例示図である。
第５図は、第２の実施形態に係るモノクロ／カラー変換テーブル（１’）を作成するために作成したモノクロ／カラー対応テーブル（２）を示す例示図である。
第６図は、第３の実施形態に係るモノクロ／カラー変換テーブル（１”）を示す例示図である。
第７図は、第３の実施形態に係るモノクロ／カラー変換テーブル（１”）を作成するために作成したモノクロ／カラー対応テーブル（３）を示す例示図である。
第８図は、第４の実施形態に係る多階調モノクロ画像表示装置（１００Ｂ）を示す構成ブロック図である。
第９図は、第５の実施形態に係る多階調モノクロ画像表示装置（１００Ｃ）を示す構成ブロック図である。
【発明を実施するための最良の形態】  以下、図に示す実施の形態により本発明をさらに詳細に説明する。なお、これにより本発明が限定されるものではない。
−第１の実施形態−
第１図に示すように、多階調モノクロ画像表示装置１００Ａは、コンピュータ１０Ａと、モノクロディスプレイ装置２０Ａとを具備して構成される。
コンピュータ１０Ａは、例えばパーソナルコンピュータであり、カラー画像の色数がモノクロ画像の階調数より多いオペレーティングシステム１３と、オペレーティングシステム１３で扱いうるモノクロ画像の階調数より多い階調数のモノクロ画像の階調値［ｘ］を出力しうるモノクロ画像出力ソフトウエア１１と、モノクロ画像出力ソフトウエア１１が出力する多階調モノクロ画像の階調値［ｘ］をカラー画像のＲＧＢ値（ｒ，ｇ，ｂ）に変換するモノクロ／カラー変換ソフトウエア１２と、オペレーティングシステム１３から出力されたカラー画像のデジタルデータを出力しうるビデオカード１４とを備えている。
なお、オペレーティングシステム１３が例えばウィンドウズＸＰの場合、カラー画像の色数は１６，７７７，２１６（３×８ビット）であり、モノクロ画像の階調数は２５６（８ビット）である。
モノクロ画像出力ソフトウエア１１は、１０ビット階調のモノクロ画像を扱うことが出来る。
モノクロ／カラー変換ソフトウエア１２は、例えば第２図に示すモノクロ／カラー変換テーブル１を用いて、１０ビット階調のモノクロ画像の階調値［ｘ］＝０〜１０２３を３×８ビットのＲＧＢ値（ｒ，ｇ，ｂ）＝（０，０，０）〜（２５５，２５５，２５５）に変換する。但し、第２図から判るように、階調値［ｘ］＝１０２０〜１０２３は、いずれもＲＧＢ値（ｒ，ｇ，ｂ）＝（２５５，２５５，２５５）に変換される。従って、実際のモノクロ画像の階調数は１０２１になる。
ビデオカード１４は、通常のビデオカードである。
モノクロディスプレイ装置２０Ａは、入力されたカラー画像を多階調モノクロ画像（例えば１０ビット）に変換するカラー／モノクロ変換処理部２２と、多階調数モノクロ画像（例えば１０ビット）を表示しうる多階調モノクロ画像表示部２３とを備えている。
カラー／モノクロ変換処理部２２は、例えば第２図に示すモノクロ／カラー変換テーブル１を逆にした再変換テーブルを用いて、３×８ビットのＲＧＢ値（ｒ，ｇ，ｂ）＝（０，０，０）〜（２５５，２５５，２５５）を１０ビット階調のモノクロ画像の階調値［ｘ］＝０〜１０２０に変換する。ＲＧＢ値（ｒ，ｇ，ｂ）＝（２５５，２５５，２５５）は、階調値［ｘ］＝１０２０に変換する。つまり、先述したように、表示されるモノクロ画像の階調数は１０２１になる。
第１の実施形態に係る多階調モノクロ画像表示装置１００Ａによれば、ハードウエアやソフトウエアに大きな変更を加えることなく、ＯＳ１３の制限（例えば２５６階調）を超える多階調（例えば１０２１階調）でモノクロ画像を表示することが出来る。また、通常のビデオカード１４を使用しうる。
ここで、第３図に示すように、ＯＳ１３が例えばウィンドウズＸＰであって、モノクロ画像出力ソフトウエア１１が出力する画像を表示するためのアプリケーション・ウィンドウＡをデスクトップ画面Ｄの一部領域に開いている状態を想定すると、アプリケーション・ウィンドウＡの中はモノクロ／カラー変換されたカラー画像となり且つアプリケーション・ウィンドウＡの外はデスクトップ画面Ｄのカラー画像となる画面がコンピュータ１０Ａからモノクロディスプレイ装置２０Ａへ出力される。この結果、アプリケーション・ウィンドウＡの中はモノクロ画像出力ソフトウエア１１が出力する多階調モノクロ画像が表示されるが、アプリケーション・ウィンドウＡの外はＯＳ１３が出力するデスクトップ画面Ｄをモノクロ化した画像が表示される。
さて、第２図に示すモノクロ／カラー変換テーブル１は、次のようなプログラムにより作成できる。
2004093007.tif 000003
2004093007.tif 000004
上記プログラムは、ＲＧＢ値（ｒ，ｇ，ｂ）＝（０，０，０）から（Ｍ−１，Ｍ−１，Ｍ−１）まで、対応する階調値［ｘ］を計算する。異なるＲＧＢ値（ｒ，ｇ，ｂ）で同じ階調値［ｘ］になる場合、計算順が後のＲＧＢ値（ｒ，ｇ，ｂ）が採用される。
ここで、ＯＳ１３で取り扱いうるモノクロ画像がｍビット階調、多階調モノクロ画像がｋビット階調とすると、Ｍは２のｍ乗、Ｋは２の（ｋ−ｍ）乗である。
Ｒ＿ＰＡＲＡＭ，Ｇ＿ＰＡＲＡＭ，Ｂ＿ＰＡＲＡＭは、カラー信号をモノクロ信号に変換するＮＴＳＣ系加重平均法で定められた値Ｒ＿ＰＡＲＡＭ＝０．２９８９１１，Ｇ＿ＰＡＲＡＭ＝０．５８６６１１，Ｂ＿ＰＡＲＡＭ＝０．１１４４７８に由来する値とするのが好ましい。何故なら、これに対応するカラー／モノクロ変換処理部２２では、ＲＧＢ値（ｒ，ｇ，ｂ）からモノクロ階調値［ｘ］に変換する際、ＮＴＳＣ系加重平均法で定められたカラー／モノクロ変換が行われることになるから、通常のアプリケーション・ソフトがＯＳ１３を介して出力するカラー画像やＯＳ１３自身が出力するカラー画像をモノクロディスプレイ装置２０Ａで自然なモノクロ画像として見れるようになるからである。また、通常のコンピュータにモノクロディスプレイ装置２０Ａを接続しても、通常のコンピュータが出力するカラー画像をモノクロディスプレイ装置２０Ａで自然なモノクロ画像として見れるようになるからである。
第２図のモノクロ／カラー変換テーブル１は、ｍ＝８、ｋ＝１０，計算の便宜上、Ｒ＿ＰＡＲＡＭ，Ｇ＿ＰＡＲＡＭ，Ｂ＿ＰＡＲＡＭに４ビットを割り当てて、Ｒ＿ＰＡＲＡＭ＝５／１６，Ｇ＿ＰＡＲＡＭ＝９／１６，Ｂ＿ＰＡＲＡＭ＝２／１６として計算した値である。なお、［ｘ］＝１０２１〜１０２３については、ＲＧＢ値（ｒ，ｇ，ｂ）＝（２５５，２５５，２５５）とした。
−第２の実施形態−
第２の実施形態は、モノクロ／カラー変換ソフトウエア１２とカラー／モノクロ変換処理部２２の動作が異なる以外は、第１の実施形態と基本的に同じ構成である。
モノクロ／カラー変換ソフトウエア１２は、例えば第４図に示すモノクロ／カラー変換テーブル１’を用いて、１０ビット階調のモノクロ画像の階調値［ｘ］＝０〜１０２３を３×８ビットのＲＧＢ値（ｒ，ｇ，ｂ）＝（０，０，０）〜（２５５，２５５，２５５）に変換する。
第４図から判るように、階調値［ｘ］＝０〜１０２３が異なるＲＧＢ値（ｒ，ｇ，ｂ）に変換される。従って、モノクロ画像の階調数は１０２４になる。
カラー／モノクロ変換処理部２２は、例えば第４図に示すモノクロ／カラー変換テーブル１’を逆にした再変換テーブルを用いて、３×８ビットのＲＧＢ値（ｒ，ｇ，ｂ）＝（０，０，０）〜（２５５，２５５，２５５）を１０ビット階調のモノクロ画像の階調値［ｘ］＝０〜１０２３に変換する。従って、表示されるモノクロ画像の階調数は１０２４になる。
第２の実施形態に係る多階調モノクロ画像表示装置１００Ａによれば、ハードウエアやソフトウエアに大きな変更を加えることなく、ＯＳ１３の制限（例えば２５６階調）を超える多階調（例えば１０２４階調）でモノクロ画像を表示することが出来る。また、通常のビデオカード１４を使用しうる。
さて、第４図に示すモノクロ／カラー変換テーブル１’は、次のような手順により作成できる。
ステップ１：次式を満たすように、階調値［ｘ］＝０〜１０２０に対応するＲＧＢ値（ｒ，ｇ，ｂ）を決める。ただし、右辺に小数点以下が生じないようなｒ，ｇ，ｂの値を選ぶ。
ｘ＝（ｒ＊５／１６＋ｇ＊９／１６＋ｂ＊２／１６）＊４
第５図のモノクロ／カラー変換テーブル２は、決められた階調値［ｘ］＝０〜１０２０に対応するＲＧＢ値（ｒ，ｇ，ｂ）を示す。
ステップ２：階調値［ｘ］＝７６８〜１０２０に対応するＲＧＢ値（ｒ，ｇ，ｂ）を、階調値［ｘ］＝７７１〜１０２３に対応させる。
ステップ３：階調値［ｘ］＝５１２〜７６７に対応するＲＧＢ値（ｒ，ｇ，ｂ）を、階調値［ｘ］＝５１４〜７６９に対応させる。
ステップ４：階調値［ｘ］＝２５６〜５１１に対応するＲＧＢ値（ｒ，ｇ，ｂ）を、階調値［ｘ］＝２５７〜５１２に対応させる。
ステップ５：階調値［ｘ］＝０〜２５５に対応するＲＧＢ値（ｒ，ｇ，ｂ）を、階調値［ｘ］＝０〜２５５に対応させる。
ステップ６：階調値［ｘ］＝２５６に、ステップ１で示した式で階調値［ｘ］＝２５５と階調値［ｘ］＝２５６の間の値になるＲＧＢ値、例えば（６３，６３，７０）、を対応させる。
ステップ７：階調値［ｘ］＝５１３に、ステップ１で示した式で階調値［ｘ］＝５１１と階調値［ｘ］＝５１２の間の値になるＲＧＢ値、例えばＲＧＢ値（１２７，１２７，１３４）を対応させる。
ステップ８：階調値［ｘ］＝７７０に、ステップ１で示した式で階調値［ｘ］＝７６７と階調値［ｘ］＝７６８の間の値になるＲＧＢ値、例えばＲＧＢ値（１９１，１９１，１９８）を対応させる。
以上により、第４図のモノクロ／カラー変換テーブル１’が得られるが、ＮＴＳＣ系加重平均法で定められたカラー／モノクロ変換が行われることになるから、通常のアプリケーション・ソフトがＯＳ１３を介して出力するカラー画像やＯＳ１３自身が出力するカラー画像をモノクロディスプレイ装置２０Ａで自然なモノクロ画像として見れるようになる。また、通常のコンピュータにモノクロディスプレイ装置２０Ａを接続しても、通常のコンピュータが出力するカラー画像をモノクロディスプレイ装置２０Ａで自然なモノクロ画像として見れるようになる。
−第３の実施形態−
第３の実施形態は、モノクロ画像が１１ビット階調となること及び多階調モノクロ画像表示部２３が１１ビットの多階調モノクロ画像を表示しうるものになること以外は、第２の実施形態と基本的に同じ構成である。
モノクロ／カラー変換ソフトウエア１２は、例えば第６図に示すモノクロ／カラー変換テーブル１”を用いて、モノクロ画像出力ソフト１１が出力する１１ビット階調のモノクロ画像の階調値［ｘ］＝０〜２０４７を３×８ビットのＲＧＢ値（ｒ，ｇ，ｂ）＝（０，０，０）〜（２５５，２５５，２５５）に変換する。
第６図から判るように、階調値［ｘ］＝０〜２０４７が異なるＲＧＢ値（ｒ，ｇ，ｂ）に変換される。従って、モノクロ画像の階調数は２０４８になる。
カラー／モノクロ変換処理部２２は、例えば第６図に示すモノクロ／カラー変換テーブル１”を逆にした再変換テーブルを用いて、３×８ビットのＲＧＢ値（ｒ，ｇ，ｂ）＝（０，０，０）〜（２５５，２５５，２５５）を１１ビット階調のモノクロ画像の階調値［ｘ］＝０〜２０４７に変換する。従って、表示されるモノクロ画像の階調数は２０４８になる。
第３の実施形態に係る多階調モノクロ画像表示装置１００Ａによれば、ハードウエアやソフトウエアに大きな変更を加えることなく、ＯＳ１３の制限（例えば２５６階調）を超える多階調（例えば２０４８階調）でモノクロ画像を表示することが出来る。また、通常のビデオカード１４を使用しうる。
さて、第６図に示すモノクロ／カラー変換テーブル１”は、次のような手順により作成できる。
ステップ１：次式を満たすように、階調値［ｘ］＝０〜２０４０に対応するＲＧＢ値（ｒ，ｇ，ｂ）を決める。ただし、右辺に小数点以下が生じないようなｒ，ｇ，ｂの値を選ぶ。
ｘ＝（ｒ＊５／１６＋ｇ＊９／１６＋ｂ＊２／１６）＊８
第７図のモノクロ／カラー対応テーブル３は、決められた階調値［ｘ］＝０〜２０４０に対応するＲＧＢ値（ｒ，ｇ，ｂ）を示す。
ステップ２：階調値［ｘ］＝１７９２〜２０４０に対応するＲＧＢ値（ｒ，ｇ，ｂ）を、階調値［ｘ］＝１７９９〜２０４７に対応させる。
ステップ３：階調値［ｘ］＝１５３６〜１７９１に対応するＲＧＢ値（ｒ，ｇ，ｂ）を、階調値［ｘ］＝１５４２〜１７９７に対応させる。
ステップ４：階調値［ｘ］＝１２８０〜１５３５に対応するＲＧＢ値（ｒ，ｇ，ｂ）を、階調値［ｘ］＝１２８５〜１５４０に対応させる。
ステップ５：階調値［ｘ］＝１０２４〜１２７９に対応するＲＧＢ値（ｒ，ｇ，ｂ）を、階調値［ｘ］＝１０２８〜１２８３に対応させる。
ステップ６：階調値［ｘ］＝７６８〜１０２３に対応するＲＧＢ値（ｒ，ｇ，ｂ）を、階調値［ｘ］＝７７１〜１０２６に対応させる。
ステップ７：階調値［ｘ］＝５１２〜７６７に対応するＲＧＢ値（ｒ，ｇ，ｂ）を、階調値［ｘ］＝５１４〜７６９に対応させる。
ステップ８：階調値［ｘ］＝２５６〜５１１に対応するＲＧＢ値（ｒ，ｇ，ｂ）を、階調値［ｘ］＝２５７〜５１２に対応させる。
ステップ９：階調値［ｘ］＝０〜２５５に対応するＲＧＢ値（ｒ，ｇ，ｂ）を、階調値［ｘ］＝０〜２５５に対応させる。
ステップ１０：階調値［ｘ］＝２５６に、ステップ１で示した式で階調値［ｘ］＝２５５と階調値［ｘ］＝２５６の間の値になるＲＧＢ値、例えばＲＧＢ値（３３，３２，２９）を対応させる。
ステップ１１：階調値［ｘ］＝５１３に、ステップ１で示した式で階調値［ｘ］＝５１１と階調値［ｘ］＝５１２の間の値になるＲＧＢ値、例えばＲＧＢ値（６５，６４，６１）を対応させる。
ステップ１２：階調値［ｘ］＝７７０に、ステップ１で示した式で階調値［ｘ］＝７６７と階調値［ｘ］＝７６８の間の値になるＲＧＢ値、例えばＲＧＢ値（９７，９６，９３）を対応させる。
ステップ１３：階調値［ｘ］＝１０２７に、ステップ１で示した式で階調値［ｘ］＝１０２３と階調値［ｘ］＝１０２４の間の値になるＲＧＢ値、例えばＲＧＢ値（１２９，１２８，１２５）を対応させる。
ステップ１４：階調値［ｘ］＝１２８４に、ステップ１で示した式で階調値［ｘ］＝１２７９と階調値［ｘ］＝１２８０の間の値になるＲＧＢ値、例えばＲＧＢ値（１６１，１６０，１５７）を対応させる。
ステップ１５：階調値［ｘ］＝１５４１に、ステップ１で示した式で階調値［ｘ］＝１５３５と階調値［ｘ］＝１５３６の間の値になるＲＧＢ値、例えばＲＧＢ値（１９３，１９２，１８９）を対応させる。
ステップ１６：階調値［ｘ］＝１７９８に、ステップ１で示した式で階調値［ｘ］＝１７９１と階調値［ｘ］＝１７９２の間の値になるＲＧＢ値、例えばＲＧＢ値（２２４，２２３，２２８）を対応させる。
以上により、第６図のモノクロ／カラー変換テーブル１”が得られるが、ＮＴＳＣ系加重平均法で定められたカラー／モノクロ変換が行われることになるから、通常のアプリケーション・ソフトがＯＳ１３を介して出力するカラー画像やＯＳ１３自身が出力するカラー画像をモノクロディスプレイ装置２０Ａで自然なモノクロ画像として見れるようになる。また、通常のコンピュータにモノクロディスプレイ装置２０Ａを接続しても、通常のコンピュータが出力するカラー画像をモノクロディスプレイ装置２０Ａで自然なモノクロ画像として見れるようになる。
−第４の実施形態−
第８図に示すように、多階調モノクロ画像表示装置１００Ｂは、コンピュータ１０Ａと、再変換アダプタ４０と、モノクロディスプレイ装置２０とを具備して構成される。
コンピュータ１０Ａは、第１〜第３の実施形態で説明した構成である。
再変換アダプタ４０は、入力されたカラー画像を多階調モノクロ画像に変換して出力するカラー／モノクロ変換処理部４２を備えている。
カラー／モノクロ変換処理部４２は、第１〜第３の実施形態で説明したカラー／モノクロ変換処理部２２と同じ構成である。
モノクロディスプレイ装置２０は、通常のモノクロディスプレイ装置であって、例えば１０ビット階調または１１ビット階調のモノクロ画像を表示しうる多階調モノクロ画像表示部２３を備えている。
第４の実施形態に係る多階調モノクロ画像表示装置１００Ｂによれば、ハードウエアやソフトウエアに大きな変更を加えることなく、ＯＳ１３の制限（例えば２５６階調）を超える多階調（例えば１０２１階調または１０２４階調または２０４８階調）でモノクロ画像を表示することが出来る。また、通常のビデオカード１４やモノクロディスプレイ装置２０を使用しうる。
−第５の実施形態−
第９図に示すように、多階調モノクロ画像表示装置１００Ｃは、コンピュータ１０Ｃと、モノクロディスプレイ装置２０と、カラーディスプレイ装置３０とを具備して構成される。
コンピュータ１０Ｃは、第１〜第３の実施形態で説明したコンピュータ１０Ａのビデオカード１４の代わりに、ビデオカード１４Ｃを用いた構成である。
ビデオカード１４Ｃは、ＯＳ１３から入力されたカラー画像を多階調モノクロ画像に変換して出力するカラー／モノクロ変換処理部１６と、ＯＳ１３から入力されたカラー画像のＲＧＢ値（ｒ，ｇ，ｂ）をそのまま出力するコネクタ１７とを備えている。カラー／モノクロ変換処理部１６は、第１〜第３の実施形態で説明したカラー／モノクロ変換処理部２２と同じ構成である。
モノクロディスプレイ装置２０は、通常のモノクロディスプレイ装置であって、例えば１０ビット階調または１１ビット階調のモノクロ画像を表示しうる多階調モノクロ画像表示部２３を備えている。
カラーディスプレイ装置３０は、通常のカラーディスプレイ装置であって、再変換アダプタ４０から分岐されて入力されたカラー画像をそのまま表示しうるカラー画像表示部３１を備えている。
第５の実施形態に係る多階調モノクロ画像表示装置１００Ｃによれば、ハードウエアやソフトウエアに大きな変更を加えることなく、ＯＳ１３の制限（例えば２５６階調）を超える多階調（例えば１０２１階調または１０２４階調または２０４８階調）でモノクロ画像を表示することが出来る。また、通常のモノクロディスプレイ装置を使用しうる。
−他の実施形態−
（１）第１の実施形態で説明したプログラムにおいて、例えばｍ＝８、ｋ＝１１として計算すると、１１ビット階調のモノクロ画像を３×８ビットの色数のカラー画像に変換可能なモノクロ／カラー変換テーブルを作成できる。さらに、そのモノクロ／カラー変換テーブルから再変換テーブルを作成できる。
（２）第１の実施形態で説明したプログラムにおいて、例えばｍ＝８、ｋ＝１２、Ｒ＿ＰＡＲＡＭ，Ｇ＿ＰＡＲＡＭ，Ｂ＿ＰＡＲＡＭに５ビットを割り当てて、Ｒ＿ＰＡＲＡＭ＝１０／３２，Ｇ＿ＰＡＲＡＭ＝２０／３２，Ｂ＿ＰＡＲＡＭ＝２／３２として計算すると、１２ビット階調のモノクロ画像を３×８ビットの色数のカラー画像に変換可能なモノクロ／カラー変換テーブルを作成できる。さらに、そのモノクロ／カラー変換テーブルから再変換テーブルを作成できる。
（３）モノクロ／カラー変換テーブルを用いる代わりに、演算式により多階調モノクロ画像の階調値［ｘ］をカラー画像のＲＧＢ値（ｒ，ｇ，ｂ）に変換してもよい。また、再変換テーブルを用いる代わりに、演算式によりカラー画像のＲＧＢ値（ｒ，ｇ，ｂ）を多階調モノクロ画像の階調値［ｘ］に変換してもよい。
（４）モノクロ画像出力ソフトウエア１１やモノクロ／カラー変換ソフトウエア１２をハードウエアで構成してもよい。
（５）カラー／モノクロ変換部２２，４２，１６は、ソフトウエアで構成してもよいし、ハードウエアで構成してもよい。
【産業上の利用可能性】  本発明の多階調モノクロ画像表示方法、多階調モノクロ画像表示装置、コンピュータ、モノクロディスプレイ装置、再変換アダプタおよびビデオカードによれば、ハードウエアやソフトウエアに大きな変更を加えることなく、ＯＳの制限を超える多階調モノクロ画像を表示することが出来る。特に、ウィンドウズをＯＳとするパーソナルコンピュータで例えば１０ビット以上の階調を持つ医用モノクロ画像を処理し、その多階調モノクロ画像を表示するのに有用である。
【図１】
2004093007.tif 000005
【図２】
2004093007.tif 000006
【図３】
2004093007.tif 000007
【図４】
2004093007.tif 000008
【図５】
2004093007.tif 000009
【図６】
2004093007.tif 000010
【図７】
2004093007.tif 000011
【図８】
2004093007.tif 000012
【図９】
2004093007.tif 000013
【国際調査報告】
2004093007.tif 000014
2004093007.tif 000015
2004093007.tif 000016
2004093007.tif 000017